(57)【要約】【課題】内装を必要に応じて各宗派に対応させたり、ご本尊を嵌め込んだり、利用者の好みに合わせて変更したりすることができる仏壇を提供すること。【解決手段】仏像や位牌を上段１に載置する仏壇において、上段１の後部に後背板２を配設するとともに、後背板２が嵌合する枠体３を設け、枠体３により後背板２を着脱可能に支持せしめる。【選択図】  図１
2004305432.tif 000002
【特許請求の範囲】
【請求項１】
仏像や位牌を上段に載置する仏壇において、前記上段の後部に後背板を配設するとともに、該後背板が嵌合する枠体を設け、該枠体により後背板を着脱可能に支持せしめたことを特徴とする仏壇。
【請求項２】
仏像や位牌を上段に載置する仏壇において、前記上段の後部に後背板を配設するとともに、該後背板を固定する取付部材を裏板に設け、該取付部材により後背板を着脱可能に支持せしめたことを特徴とする仏壇。
【発明の詳細な説明】
【０００１】
【発明の属する技術分野】
本発明は、仏壇に関し、特に、内装を必要に応じて各宗派に対応させたり、利用者の好みに合わせて変更したりすることができる仏壇に関するものである。
【０００２】
【従来の技術】
仏壇には、伝統的なものとして厨子仏壇や唐木仏壇があるが、近年では、室内装飾や調度品等に外観が適合するようにした家具調の仏壇もあり、住宅事情や好みによって選択できるようになっている。
一方、仏壇では、扉の奥に設けた上段に仏像や位牌を安置し、礼拝するようになっているが、従来の在家用仏壇は、上段の後部の裏板に金紙やドンスを貼ることによって本尊を荘厳している。
【０００３】
【発明が解決しようとする課題】
このように、従来の仏壇においては、上記の如く、扉を閉めた外観はニーズに対応しているが、内装については、汎用性を保つために保守的な形式が守られており、宗派や好みによる装飾を施しにくいという問題を有している。
【０００４】
本発明は、上記従来の仏壇が有する問題点に鑑み、内装を必要に応じて各宗派に対応させたり、ご本尊を嵌め込んだり、利用者の好みに合わせて変更したりすることができる仏壇を提供することを目的とする。
【０００５】
【課題を解決するための手段】
上記目的を達成するため、本第１発明の仏壇は、仏像や位牌を上段に載置する仏壇において、前記上段の後部に後背板を配設するとともに、該後背板が嵌合する枠体を設け、該枠体により後背板を着脱可能に支持せしめたことを特徴とする。
【０００６】
この仏壇は、仏像や位牌を載置する上段の後部に後背板を配設するとともに、該後背板が嵌合する枠体を設け、該枠体により後背板を着脱可能に支持することから、後背板を様々なものに交換することにより、仏壇の内装を各宗派に対応させたり、利用者の好みに合わせて変更したりすることができる。
【０００７】
また、同じ目的を達成するため、本第２発明の仏壇は、仏像や位牌を上段に載置する仏壇において、前記上段の後部に後背板を配設するとともに、該後背板を固定する取付部材を裏板に設け、該取付部材により後背板を着脱可能に支持せしめたことを特徴とする。
【０００８】
この仏壇は、仏像や位牌を載置する上段の後部に後背板を配設するとともに、該後背板を固定する取付部材を裏板に設け、該取付部材により後背板を着脱可能に支持することから、後背板を様々なものに交換することにより、仏壇の内装を各宗派に対応させたり、利用者の好みに合わせて変更したりすることができる。
【０００９】
【発明の実施の形態】
以下、本発明の仏壇の実施の形態を図面に基づいて説明する。
【００１０】
図１〜図２に、本発明の仏壇の第１実施例を示す。
この仏壇は、仏像や位牌（図示省略）を上段１に載置するもので、前記上段１の後部に後背板（化粧板）２を配設するとともに、該後背板２が嵌合する枠体３を設け、該枠体３により後背板２を着脱可能に支持している。
【００１１】
上段１は、扉４の奥に設けられた壇５の一番上の台状のものからなり、上段１の前部には複数の柱６が立設されるとともに、上段１の後部の裏板７には、金紙やドンスが貼られている。
【００１２】
枠体３は、図１及び図２（ａ）（ｂ）に示すように、左右１対の柱状のものや、図２（ｃ）に示すように、上下１対の桟状のものからなり、いずれも嵌め込み用の凹溝３１と、該凹溝３１に配設されたばね（図示省略）とを備えている。
枠体３への後背板２の取付は、前記ばねに抗して横又は下から凹溝３１内に後背板２を差し入れ、ばねの復元力によって他方の枠体３の凹溝３１に後背板２を嵌合させる。
なお、交換することができる後背板２は、中央の後背板２に限定されず、例えば、図１（ｄ）に示す変形実施例のように、３分割した後背板２をすべて交換可能に構成することもできる。
【００１３】
一方、後背板２は、枠体３により上段１の幅方向中央部に支持されており、図４（ａ）〜（ｄ）に示すように、金紙やドンス又は裏板７と共色になるように形成した板や、丸抜き又は門状に形成した板、蒔絵等の絵柄の板、ご本尊の絵柄の板等を好みによって選択することができる。
また、後背板２の素材も、木やガラス、焼き物等、適宜選択することが可能である。
【００１４】
かくして、本実施例の仏壇は、仏像や位牌を載置する上段１の後部に後背板２を配設するとともに、該後背板２が嵌合する枠体３を設け、該枠体３により後背板２を着脱可能に支持することから、後背板２を様々なものに交換することにより、仏壇の内装を各宗派に対応させたり、利用者の好みに合わせて変更したりすることができる。
【００１５】
次に、図３に、本発明の仏壇の第２実施例を示す。
この仏壇は、仏像や位牌を上段１に載置するもので、前記上段１の後部に後背板２を配設するとともに、該後背板２を固定する取付部材８を裏板７に設け、該取付部材８により後背板２を着脱可能に支持している。
【００１６】
上段１は、扉（図示省略）の奥に設けられた壇５の一番上の台状のものからなり、上段１の前部には複数の柱６が立設されるとともに、上段１の後部の裏板７には、金紙やドンスが貼られている。
【００１７】
取付部材８は、図５に示すように、穴と突起を差し込むものや、フック状の掛止具、レールとスライダー等を使用することができ、また、図示省略する永久磁石や金のホック、面ファスナー、粘着テープ等、様々なものを使用することができる。
【００１８】
一方、後背板２は、図４（ａ）〜（ｄ）に示す第１実施例のようなもののほかに、図４（ｅ）〜（ｊ）に示すような、種々の形状や色、材質の板を、上段１から浮かせた状態で取り付けることが可能である。
【００１９】
かくして、本実施例の仏壇は、仏像や位牌を載置する上段１の後部に後背板２を配設するとともに、該後背板２を固定する取付部材８を裏板７に設け、該取付部材８により後背板２を着脱可能に支持することから、後背板２を様々なものに交換することにより、仏壇の内装を各宗派に対応させたり、利用者の好みに合わせて変更したりすることができる。
【００２０】
以上、本発明の実施例を説明したが、本発明の仏壇の構成は、この実施例の記載に限定されるものではなく、その趣旨を逸脱しない範囲において適宜に変更することが可能である。
【００２１】
【発明の効果】
本第１発明の仏壇によれば、仏像や位牌を載置する上段の後部に後背板を配設するとともに、該後背板が嵌合する枠体を設け、該枠体により後背板を着脱可能に支持することから、後背板を様々なものに交換することにより、仏壇の内装を各宗派に対応させたり、利用者の好みに合わせて変更したりすることができる。
【００２２】
また、本第２発明の仏壇によれば、仏像や位牌を載置する上段の後部に後背板を配設するとともに、該後背板を固定する取付部材を裏板に設け、該取付部材により後背板を着脱可能に支持することから、後背板を様々なものに交換することにより、仏壇の内装を各宗派に対応させたり、利用者の好みに合わせて変更したりすることができる。
【図面の簡単な説明】
【図１】本発明の仏壇の第１実施例を示し、（ａ）は一部を省略した正面図、（ｂ）は同平面図、（ｃ）は同側面図、（ｄ）は変形実施例の平面図である。
【図２】同実施例の後背板と枠体を示し、（ａ）は柱状の枠体と後背板を示す正面図、（ｂ）は同断面平面図、（ｃ）は桟状の枠体と後背板を示す断面側面図である。
【図３】本発明の仏壇の第２実施例を示し、（ａ）は一部を省略した正面図、（ｂ）は同側面図である。
【図４】後背板の例を示し、（ａ）〜（ｇ）は正面図、（ｈ）〜（ｊ）は断面図である。
【図５】（ａ）〜（ｃ）は取付部材の例を示す斜視図である。
【符号の説明】
１    上段
２    後背板
３    枠体
３１  凹溝
４    扉
５    壇
６    柱
７    裏板
８    取付部材
【図１】
2004305432.tif 000003
【図２】
2004305432.tif 000004
【図３】
2004305432.tif 000005
【図４】
2004305432.tif 000006
【図５】
2004305432.tif 000007